(57)【要約】【課題】盾と携帯型アラームの両方を効果的に組み合わせることで、今までにない防御用具を提供すること。【解決手段】平板状又は湾曲板状の板材から成る盾本体２の裏面に取っ手３と盾本体２の下方にスピーカ部を備えたアラーム４を取り付けたアラーム付き盾１である。暴漢に襲われた場合に盾１で防御しながら該盾１と一体のアラーム４を作動させ、大音量を発生させて急場をしのぐことができる。さらにアラーム４の大音響で助けを呼ぶことができる。催涙スプレーを盾本体２の取っ手３内に収納してもよい。【選択図】    図１
2004293845.tif 000002
【特許請求の範囲】
【請求項１】
平板状又は湾曲板状の板材から成る盾本体の裏面に取っ手とスピーカ部を備えたアラームを取り付け、該アラームのスピーカ部の前方部の盾本体に、盾本体の裏面側から表面側に貫通した開口部を設けたことを特徴とするアラーム付き盾。
【請求項２】
アラームは、その外周部を遮音材又は防音材で覆われて盾本体の裏面に設けたことを特徴とする請求項１記載のアラーム付き盾。
【請求項３】
アラームのスピーカ部の前方と盾本体裏面との間にはホーン部を設けたことを特徴とする請求項１又は２記載のアラーム付き盾。
【請求項４】
アラームは、盾本体の裏面の下方に設け、アラームの下方部には、下方へ引き抜くことでアラームを作動させるピンを設けたことを特徴とする請求項１ないし３のいずれかに記載のアラーム付き盾。
【請求項５】
盾本体の裏面側に設けたアラームは送信器を備え、別に設置された受信器付きのアラームに送信可能な構成であることを特徴とする請求項１ないし４のいずれかに記載のアラーム付き盾。
【請求項６】
盾本体の取っ手内に催涙スプレーを収納したことを特徴とする請求項１ないし５のいずれかに記載のアラーム付き盾。
【発明の詳細な説明】
【０００１】
【発明の属する技術分野】
本発明は、防御用部材である盾にアラームを付属させたアラーム付き盾に関する。
【０００２】
【従来の技術】
近年、長い景気の低迷、生存競争激化などにより社会的な不安定要因が多く、暴力的な事件が多発している。そのために公権力による暴力行為の取り締まりでは迅速性に欠けることがあり、自己防衛を図る手段の開発も盛んに行われている。
【０００３】
自己防衛を図る手段としては警報機器、催涙具、棍棒、盾、電気ショック機器等がある。
その中で、防御用の盾は日本では主に警察官の護身用に使用されてきたが、犯罪の凶悪化に対応して警備会社のみならず、銀行、消費者金融会社および深夜営業のコンビニエンスストア等の人の出入りが多く、また大量に現金があると考えられている民間の組織でも護身用に使用したいというニーズが高まっている。
【０００４】
このような社会的要請に応えるために、各種防犯具が考案され、特許出願がなされている。
例えば、特開２０００−３５２９８号公報記載の防護盾についての出願があり、本出願人も、先に催涙スプレー付きの盾について特許出願した（特願２００２−２３８３８１号）。
【０００５】
また、携帯型アラームも盾と共に防御用部材として最近よく用いられるようになった。特に、売上代金を夜間金庫などに運ぶ外食やコンビニエンスストアなどの店舗責任者や夜間一人歩きする機会の多い女性の携帯可能な防御用具として用いられるなど、強盗や暴漢対策用品として広く一般に普及している。
【０００６】
【特許文献１】
特開２０００−３５２９８号公報
【０００７】
【特許文献２】
特願２００２−２３８３８１号
【０００８】
【発明が解決しようとする課題】
盾は専ら攻撃相手から身を守るために有効に利用されるものであるが、金属パイプ、ナイフ等の凶器を用いる暴漢などに襲われた場合に、その攻撃を受け止めるのが精一杯で相手を撃退することは難しい。また、攻撃を受けたとき盾で防戦しながら、大声で助けを呼ぶ必要があるが、いざという時には声が出にくく、また近所に聞こえるほどの大声を出すのは難しい。
一方、携帯型アラームを作動させたときは、周囲の人の助けを求めることはできるが、それでも金属パイプやナイフ等の凶器を持った相手が攻撃してきた場合は防ぐことはできない。また大音量のアラームを使用した場合、相手をひるませて逃げ出したくさせる効果があるが、同時に自分自身も騒音に耐えなければならないという問題点がある。
本発明の課題は盾と携帯型アラームの両方を効果的に組み合わせることで、今までにない防御用具を提供することである。
【０００９】
【課題を解決するための手段】
上記課題は次の解決手段で解決される。
請求項１記載の発明は、平板状又は湾曲板状の板材から成る盾本体の裏面に取っ手とスピーカ部を備えたアラームを取り付け、該アラームのスピーカ部の前方部の盾本体に、盾本体の裏面側から表面側に貫通した開口部を設けたアラーム付き盾である。
請求項２記載の発明は、アラームは、その外周部を遮音材又は防音材で覆われて盾本体の裏面に設けたアラーム付き盾である。
請求項３記載の発明は、アラームのスピーカ部の前方と盾本体裏面との間にはホーン部を設けたアラーム付き盾である。
【００１０】
請求項４記載の発明は、アラームは盾本体の裏面の下方に設け、アラームの下方部には、下方へ引き抜くことでアラームを作動させるピンを設けた請求項１ないし３のいずれかに記載のアラーム付き盾である。
請求項５記載の発明は、盾本体の裏面側に設けたアラームは送信器を備え、別に設置された受信器付きのアラームに送信可能な構成である請求項１ないし４のいずれかに記載のアラーム付き盾である。
請求項６記載の発明は、盾本体の取っ手内に催涙スプレーを収納したことを特徴とする請求項１ないし５のいずれかに記載のアラーム付き盾である。
【００１１】
【作用】
請求項１記載の発明によれば、暴漢に襲われた場合に盾本体で防御しながら、盾本体と一体のアラームを作動させて大音量を発することができる。盾本体とアラームが一体に組み合わされているため、盾によって防御し、アラームの大音量で相手をひるませて時間を稼ぐことができ、アラームの音を聞いた者に応援に来てもらうことができる。また、アラームのスピーカ部の前方部の盾本体に、盾本体の裏面側から表面側に貫通した開口部を設けたため、前方の暴漢に対して大音響を送り出すことができる。
【００１２】
請求項２記載の発明によれば、アラームの外周部が遮音材又は防音材で覆われているのでアラームの大音響は盾本体の裏面には比較的小さくなる。
【００１３】
請求項３記載の発明によれば、アラームのスピーカ部の前方と盾本体裏面との間にはホーン部を設けたため、アラームの大音響は盾の前方、すなわち暴漢側に方向性を持つことになる。
【００１４】
請求項４記載の発明によれば、アラームのスピーカ部の前方の開口部の設置位置は盾が暴漢によって殴打されても比較的衝撃を受け難く、また衝撃で破壊されにくい場所であるので、盾本体とアラーム本体は共に壊れ難い。また、アラームの下方部には、下方へ引き抜くことでアラームを作動させるピンを設けたため、ピンを下方へは容易に引き抜き易くなる。このときピンに紐をつなげ、該紐の他端を固定しておくと、急なときに盾を持ち上げるだけで、アラームが作動する。
【００１５】
請求項５記載の発明によれば、盾本体の裏面側に設けたアラームには送信器を備えているので屋外など別に設置された受信器付きのアラームに異常事態の発生を送信可能であり、該受信器付きのアラームから大音響を発することができる。
【００１６】
請求項６記載の発明は、盾本体の取っ手内に催涙スプレーを収納しているのでアラームの他に催涙ガスを暴漢に対して噴射できる。
【００１７】
【発明の効果】
請求項１記載の発明によれば、暴漢に襲われた場合に盾で防御しながら、盾と一体のアラームを作動させて、スピーカ部からの大音響を開口部を通して前方の暴漢に対して送り出すことで暴漢をひるませて急場をしのぐことができる。さらにアラームの大音響で助けを呼ぶことができ、防御効果が高い。
請求項２記載の発明によれば、アラームの外周部の遮音材又は防音材がアラームの音を盾本体を持つ者に比較的小さく聞こえように作用するのに対して、暴漢には大音響として聞こえるため、暴漢をひるませることができ、防御効果がある。
請求項３記載の発明によれば、アラームのホーン部がアラームの大音響を盾本体の前方側の暴漢側に方向性を与えるため、暴漢をひるませることができ、防御効果がある。
【００１８】
請求項４記載の発明によれば、アラームのスピーカ部の前方の盾本体の開口部の設置位置が暴漢によって殴打されても比較的衝撃を受け難く、また衝撃で破壊されにくい場所であるので、盾本体とアラーム本体が共に壊れ難い。また、アラームを作動させるためにはピンを下方に引くだけでよいので操作性、機動性が良くなる。
請求項５記載の発明によれば、盾本体に設けたアラームによる大音響の他に屋外など別に設置された受信器付きのアラームで異常事態の発生を知らせることができ、防御性が一層高まる。
請求項６記載の発明は、催涙スプレーをアラームと共に用いると暴漢対策をより一層効果的に行える。
【００１９】
【発明の実施の形態】
本発明の実施の形態について図面と共に説明する。
図１と図２には本実施の形態のアラーム付き盾の裏面側と表面側から見た斜視図をそれぞれ示す。
【００２０】
図１、図２に示す盾１は、盾自体の機能に加えてアラームの機能を十分に発揮させようとするものであり、盾１の本体２の裏面に取っ手３を設け、盾本体２の下方中央部にアラーム４を設ける。
【００２１】
盾本体２の材質は金属、プラスチックまたは木材などを用いることができ、また前記材質は不透明、半透明、透明材料のいずれでも良い。半透明又は透明材料が容易に得られることからプラスチックは望ましい材質である。プラスチックの中では耐衝撃性が高く、透明なポリカーボネートが最も好ましい。
【００２２】
盾本体２が半透明または透明な材質であれば、相手の動きが良く観察できるので、盾本体２を動かすときだけでなく、アラーム４及び催涙スプレー１６（図８）を作動させるタイミングが取りやすくなるので好都合である。
【００２３】
図示していないが、盾本体２の裏面側に２つの取っ手を並列配置して取り付けると、両手でその取っ手を持って盾本体２を支持することができ、比較的非力な者でも、暴漢に対峙することができる。
【００２４】
また、アラーム本体６は図３の断面図に示すようにアラームケース５の中でスピーカー部７が前方（盾１を保持している人から見て）を向くように設置されていて、スピーカー部７前方の盾本体２には開口部８が設けられている。
【００２５】
開口部８があるので、アラーム本体６の音が効率よく前方に向かって発振される。開口部８の形状は図４に示すような単一の円形又は図５に示すような複数の円形群からなるものがあるが、開口部８の形状や数は図４、図５に示すものに限定されず、盾本体２に開口しているものであればいかなる形状・数でも良い。
【００２６】
また、アラーム本体６の周囲とアラームケース５との間はスピーカー部７を除いて遮音材又は防音材９で覆い、アラーム本体６の音が盾１を保持している人の側にできるだけ届かないようにする。
【００２７】
本実施例のアラーム本体６は市販品を入手して盾本体２に取付けているが、一般に、市販のアラーム本体６は一度鳴らすと容易に止められないようにするために、付属のピン１０を引き抜くことによってアラーム本体６のスイッチが入る構造になっている。
【００２８】
本実施例では図３で示すようにアラーム本体６のピン１０をアラーム本体６の下部に設け、下方にピン１０を引き抜くとアラーム本体６のスイッチが入るようになっている。
【００２９】
また、図５にはアラーム本体６のピン１０に紐１１をつなぎ、該紐１１の先端を固定されたフック１２のようなものに引っかけておけば、盾１が必要になった緊急時に盾１を持ち上げれば自動的にピン１０が抜かれてアラーム本体６を鳴らすことができる。
【００３０】
さらに、図６に示すようにアラーム本体６のスピーカー部７の前方にホーン１３を設け、アラーム本体６からの音の拡散を防ぎ、かつ音の前方への方向性を向上させることができる。
【００３１】
上記実施例の構成からなるアラーム付き盾１は次のような効果を奏する。
▲１▼大音量のアラーム本体６をセットすると、盾１の前方にいる暴漢には開口部８から出たアラーム４の大音響が直接聞こえるため耐えられなくなるが、盾１を持っている者には盾本体２を回折して伝達される間接的な音しか届かないため、耐えることができ、自己を防御できるだけでなく相手を攻撃する効果がある。アラーム本体６を遮音材又は防音材９で覆った場合は、更に上記効果が高められる。
▲２▼盾本体２にアラーム本体６の音の出口となる開口部８を設けると、盾本体２の強度が若干低下するが、開口部８の設置位置は盾１が暴漢によって殴打されても比較的衝撃を受け難く、また衝撃で破壊されにくい場所であるので、盾本体２とアラーム本体６は共に壊れ難い。
▲３▼取っ手３は左右どちらの手で保持することもあるので、アラーム４が実施例の位置にあればピン１０を引き抜く操作は左右どちらの手でも容易にできる。
【００３２】
▲４▼ピン１０はアラーム本体６の下方にあり、下方向に向かって抜くようになっているので、ピン１０の抜き操作を自然に行える。
▲５▼本実施例の盾１は盾本体２とアラーム４が一体に組み合わされた構成であるので、暴漢に襲われた者は盾１によって攻撃に対して防御しながらアラーム４の音量で相手をひるませ時間を稼ぐことができ、その間にアラーム４の音を聞いた周囲の人に応援に来てもらうことができる。
▲６▼図５に示す紐付きピン１０を設けた構成を採用すると、暴漢に襲われた者は緊急時にあわてている場合にも確実にピン１０を抜き、アラーム４を作動させることができる。
▲７▼図６のホーン１３を設けた構成を採用すると、音の拡散を防ぎ方向性を向上させることによって、暴漢に対して音による攻撃効果を上げることができる。
【００３３】
図７に示す実施例は、盾１の裏面のアラーム４にはアラーム本体６の他に、アラーム本体６に隣接して発信器１４を設け、これらをアラーム−ケース５内に収納した構成を示している。そしてアラーム本体６からピン１０を引き抜くと、アラームスイッチが入ると同時に発信器１４のスイッチも入るようにする。
【００３４】
一方、受信器と一体になったアラーム１５を屋外等に設置しておき、前記発信器１４からの信号を受信器が受信するとアラーム１５が鳴る構造にしておく。こうして緊急時に盾１のアラーム４のピン１０を抜けば、アラーム本体６の音と同時にアラーム１５も警報を発して、広範囲からの応援を求めることができる。
【００３５】
また、図８に示す実施例は、盾本体２の取っ手３の内部に催涙スプレー１６を収納しておき、該催涙スプレー１６とアラーム４とが付属した盾１である。図８に示す例では、催涙スプレー１６は盾本体２の取っ手３内に縦長の催涙スプレー１６の加圧ガスボンベ部分を挿脱可能な構造をしているが、取っ手３は、催涙スプレー１６の加圧ガスボンベ１８（図９）部分を収納できる形状、構造の取っ手３であれば、いかなる形状、構造のものでも良い。
【００３６】
盾本体２には催涙スプレー１６の催涙ガス噴射用のノズル１７から噴射されたガスが通過する開口部２ａを設けておき、前記ノズル１７を経由して催涙ガスが盾本体２の前面から外部に向けて噴出する構造にしておく必要がある。
【００３７】
なお、ノズル１７は盾本体２の開口部２ａの中に挿入する構造、開口部２ａを貫通して盾本体の表面に臨む構造、又は開口部２ａの手前（盾本体２の裏側）にノズル１７の先端が配置される構造などを採用し得る。
【００３８】
図９に本実施例の催涙スプレー１６の断面図を示す。催涙スプレー１６は、その加圧ガスボンベ１８の内部に液化された催涙ガス２０が充填されており、ボンベ１８の底部付近に開口した液化ガス吸上げ用のパイプ２１を介して、ボンベ１８の頂部のノズルガイド２２に支持されたノズル１７を通って外部にガス化した催涙成分が噴出する構成になっている。そして、ガスの噴出はボンベ１８の頂部等に設けたボタン２３を押して、常閉弁２４を押圧して開くことで行っている。
【００３９】
従って、図９に示すようにボンベ１８の底部側の吸上げ用パイプ２１の先端開口部が、常時液化ガス２０中に浸漬された状態にあることが必要であり、そのためには、図９に示すように、ガスボンベ１８が、その底部を下側にした直立状態で盾本体２に取り付けられる。起立状態でガスボンベ１８を盾本体２に取り付けることで、催涙スプレー１６は液化ガス２０がほとんどなくなるまで、催涙ガス２０を噴射することができる。また、催涙ガス２０は盾本体２の表面開口部２ａに臨むノズル１７から噴射されるので、盾１の使用者に催涙ガスがかかりにくいことも大きな利点である。また、催涙ガス２０の噴射動作時に、相手に向かって催涙スプレー１６を作動させる手を伸ばしても盾本体２に保護されているので手を攻撃されにくい。
【図面の簡単な説明】
【図１】本発明の実施例のアラーム付きの盾の裏面側から見た斜視図である。
【図２】本発明の実施例のアラーム付きの盾の表面側から見た斜視図である。
【図３】図１の盾のアラーム設置部の断面図である。
【図４】図１の盾のアラーム設置部に設けられた盾本体の開口部の形状を示す図である。
【図５】本発明の図１の実施例の変形例のアラーム付きの盾の裏面側から見た斜視図である。
【図６】本発明の図１の実施例の変形例のアラーム設置部の断面図である。
【図７】本発明の他の実施例の発信器とアラーム付きの盾の裏面側の平面図と受信器と一体になったアラームの設置図である。
【図８】本発明の図１の実施例の変形例の催涙スプレーとアラーム付き盾の裏面側から見た斜視図である。
【図９】図８の催涙スプレーの断面図である。
【符号の説明】
１  盾                    ２  盾本体
２ａ、８  開口部          ３  取っ手
５  アラームケース        ４、１５  アラーム
６  アラーム本体          ７  スピーカー部
９  遮音材又は防音材      １０  ピン
１１  紐                  １２  フック
１３  ホーン              １４  発信器
１６  催涙スプレー        １７  ノズル
１８  加圧ガスボンベ      ２０  催涙液化ガス
２１  吸上げ用パイプ      ２２  ノズルガイド
２３  ボタン              ２４  常閉弁
【図１】
2004293845.tif 000003
【図２】
2004293845.tif 000004
【図３】
2004293845.tif 000005
【図４】
2004293845.tif 000006
【図５】
2004293845.tif 000007
【図６】
2004293845.tif 000008
【図７】
2004293845.tif 000009
【図８】
2004293845.tif 000010
【図９】
2004293845.tif 000011